(57)【要約】【課題】  誤認、誤操作による不測の事態発生を防止し、操作性の向上、円滑な利用の促進等を行うことを可能とする画像出力装置等を提供する。【解決手段】  画像出力装置１０１は、メディアリーダ切替手段１１８によりメディアリーダの切替処理を行い、選択されたメディアの種類に対応するメディアリーダの挿入口のみを利用可能とする。画像出力装置１０１は、メディア検出手段１１７等によりメディアの形状、メディアに付されたバーコード情報等を取得し、メディア判別データベース１１９を参照して、メディアの種類の判別を行うことができる。また、画像出力装置１０１は、利用者検出手段１２０によりボックス内の利用者の有無を検出し外装制御手段１２１により、利用者がいない場合には外装を透明状態にし、利用者がいる場合には外装を不透明状態とする。【選択図】  図１
2005096355.tif 000002
【特許請求の範囲】
【請求項１】
記録媒体の種類毎に設けられる読取装置により前記記録媒体から画像データを入力する入力手段と、
前記画像データを印刷出力する出力手段と、
前記記録媒体の種類を選択する選択手段と、
前記選択された記録媒体の種類に応じて前記読取装置を切り替える切替手段と、
を具備することを特徴とする画像出力装置。
【請求項２】
前記切替手段は、各読取装置の挿入口の前面に設けられ１の孔を有する覆板と、各読取装置を一体として支持する支持部材と、の少なくともいずれかを駆動させることにより、前記記録媒体の種類に対応する前記読取装置の挿入口を前記孔の位置に配置することを特徴とする請求項１に記載の画像出力装置。
【請求項３】
前記切替手段は、各読取装置毎に設けられる開閉カバーを開閉することにより、前記記録媒体の種類に対応する前記読取装置の挿入口を開放あるいは閉鎖することを特徴とする請求項１に記載の画像出力装置。
【請求項４】
前記記録媒体の形状または前記記録媒体に付される識別情報を検出する記録媒体検出手段を具備し、
前記選択手段は、前記形状または前記識別情報と前記記録媒体の種類とを対応付ける記録媒体判別情報に基づいて、前記記録媒体の種類の判別を行うことを特徴とする請求項１に記載の画像出力装置。
【請求項５】
前記選択手段は、前記記録媒体への画像データ記録装置と前記記録媒体の種類とを対応付ける記録媒体判別情報に基づいて、前記記録媒体の種類の判別を行うことを特徴とする請求項１に記載の画像出力装置。
【請求項６】
記録媒体の種類毎に設けられる読取装置により前記記録媒体から画像データを入力する入力手段と、
前記画像データを印刷出力する出力手段と、
前記記録媒体の大きさを検出する検出手段と、
前記読取装置の挿入口近傍において、当該挿入口の大きさより小さい記録媒体を検出した場合、警告を行う警告手段と、
を具備することを特徴とする画像出力装置。
【請求項７】
画像データを入力する入力手段と、
前記画像データを印刷出力する出力手段と、
撮像空間内の利用者の有無を検出する利用者検出手段と、
前記利用者の有無に応じて外装の状態を制御する外装制御手段と、
を具備することを特徴とする画像出力装置。
【請求項８】
前記外装制御手段は、前記撮像空間内に前記利用者が存在する場合、前記外装の少なくとも一部を不透明状態にし、前記撮像空間内に前記利用者が存在しない場合、前記外装の少なくとも一部を透明状態にすることを特徴とする請求項７に記載の画像出力装置。
【請求項９】
コンピュータを請求項１から請求項８までのいずれかに記載の画像出力装置として機能させるプログラム。
【請求項１０】
コンピュータを請求項１から請求項８までのいずれかに記載の画像出力装置として機能させるプログラムを記録した記録媒体。
【請求項１１】
画像出力装置として機能するコンピュータが実行する画像出力方法であって、
記録媒体の種類毎に設けられる読取装置により前記記録媒体から画像データを入力する入力工程と、
前記画像データを印刷出力する出力工程と、
前記記録媒体の種類を選択する選択工程と、
前記選択された記録媒体の種類に応じて前記読取装置を切り替える切替工程と、
を具備することを特徴とする画像出力方法。
【請求項１２】
画像出力装置として機能するコンピュータが実行する画像出力方法であって、
記録媒体の種類毎に設けられる読取装置により前記記録媒体から画像データを入力する入力工程と、
前記画像データを印刷出力する出力工程と、
前記記録媒体の大きさを検出する検出工程と、
前記読取装置の挿入口近傍において、当該挿入口の大きさより小さい記録媒体を検出した場合、警告を行う警告工程と、
を具備することを特徴とする画像出力方法。
【請求項１３】
撮像空間を備える画像出力装置として機能するコンピュータが実行する外装状態制御方法であって、
前記撮像空間内の利用者の有無を検出する利用者検出工程と、
前記利用者の有無に応じて外装の状態を制御する状態制御工程と、
を具備することを特徴とする外装状態制御方法。
【発明の詳細な説明】
【技術分野】
【０００１】
本発明は、デジタルカメラで撮影した画像、スキャナで読込んだ画像、持参した記録媒体に記録されている画像データ、装置に予め保存してある画像等をプリントする画像出力装置等に関する。
【背景技術】
【０００２】
近年、画像出力装置（デジタルフォトプリント装置等）が街頭端末（ＫＩＯＳＫ端末）として店舗内や街頭に設置され、利用されている。この画像出力装置は、デジタルカメラ等で撮像した画像、記録媒体に記録されている画像データ等を読み込んで、画像編集、画像合成、プリント出力等を行う（例えば、［特許文献１］、［非特許文献１］参照。）。
【０００３】
また、画像データの入力に関しては、デジタルカメラ等による撮影機能を備え、その場で撮影した画像データを入力データとして扱うことのできる画像出力装置も登場している。さらに、プライベート的な撮影空間の確保、演出効果、防犯効果を図るべく、半透明のカーテンを備える写真シール自動販売機が提案されている（例えば、［特許文献２］参照。）
【０００４】
画像出力装置は、駅前の証明写真撮影コーナー、ゲームセンター等のアミューズメント施設等に設置され、利用者は、自分のデジタルカメラで撮影した画像データを記録した記録媒体を持参して画像出力装置に読み取らせ、あるいは、その場で撮影を行い、必要に応じて画像編集処理等を行い、出力サイズ、出力枚数等を指定して高精細なカラープリントを出力し、そのまま持ち帰ることができる。
【０００５】
【特許文献１】特開２００２−４６３２４号公報
【特許文献２】特開２００２−３１８４２１号公報
【非特許文献１】大日本印刷株式会社、"デジカメプリントのすすめ"、［ｏｎｌｉｎｅ］、［２００２年１２月１日検索］、インターネット＜ＵＲＬ：ｈｔｔｐ：／／ｗｗｗ．ｄｉｇｉｃａｍａｔｅｓ．ｃｏｍ／ｓｕｓｕｍｅ／ｉｎｄｅｘ．ｈｔｍｌ＞
【発明の開示】
【発明が解決しようとする課題】
【０００６】
しかしながら、従来の画像出力装置では、デジタルカメラ、記録媒体等についての知識が乏しい場合、画面表示される案内だけでは、戸惑い、操作ミスの発生を防止することが困難であるという問題点がある。
例えば、記録媒体の種類は、コンパクトフラッシュ（登録商標）、スマートメディア、メモリスティック、ＳＤカード、ＸＤカード、ＰＣカード、フロッピディスク、光ディスク（ＣＤ−ＲＯＭ等）等、多岐に渡り、利用者によっては、即座に区別できず、画像出力装置の円滑な利用の妨げになる場合がある。
【０００７】
また、画像出力装置が街頭端末（ＫＩＯＳＫ端末）として使用される場合、画像出力装置の筐体の外壁、カーテン等に遮られ、外部から使用中であるか否かの判断ができない場合があるという問題点がある。
［特許文献２］が示す技術は、半透明のカーテンを用いるものであるが、外部の明暗（昼間、夜間等）の状況に応じて、当該半透明のカーテンを介しての視認性は、著しく変化するので、カーテンの内側の状況を認識できず利用状況の把握が困難であったり、カーテンの内側が外部から明瞭となりプライベート空間を確保できないという問題点がある。
【０００８】
本発明は、以上の問題点に鑑みてなされたものであり、誤認、誤操作による不測の事態発生を防止し、操作性の向上、円滑な利用の促進等を行うことを可能とする画像出力装置等を提供することを目的とする。
【課題を解決するための手段】
【０００９】
前述した目的を達成するために第１の発明は、記録媒体の種類毎に設けられる読取装置により前記記録媒体から画像データを入力する入力手段と、前記画像データを印刷出力する出力手段と、前記記録媒体の種類を選択する選択手段と、前記選択された記録媒体の種類に応じて前記読取装置を切り替える切替手段と、を具備することを特徴とする画像出力装置である。
【００１０】
第１の発明の画像出力装置は、記録媒体の種類毎に読取装置を備え、記録媒体の装着時等において、当該記録媒体の種類に対応する読取装置に切り替える。
【００１１】
記録媒体（メディア）は、画像データを記録する記録媒体であり、例えば、スマートメディア、コンパクトフラッシュ（登録商標）カード（ＣＦカード）、フロッピー（登録商標）ディスク、ＰＣカード、光ディスク（ＣＤ−ＲＯＭ等）等である。
読取装置（メディアリーダ）は、記録媒体から画像データを読み込む装置であり、例えば、各種カードリーダ、各種ドライブ装置等の記録媒体データ入力装置であり、入力（読込）機能のみならず、出力（書込）機能等を有するものであってもよい。
【００１２】
記録媒体の種類の選択は、利用者自身が直接指定してもよいし、カメラ、センサ等によりメディアの形状（外観画像）、メディアに付される識別情報（バーコード情報等）を取得し、メディア判別データに基づいて、メディアの種類の判別を行うようにしてもよい。さらに、利用者自身が指定した画像データ記録装置（デジタルカメラの機種等）からメディアの種類を判別するようにしてもよい。
尚、メディア判別データは、メディアの形状（外観画像）、メディアに付される識別情報（バーコード情報等）、画像データ記録装置（利用者所有のデジタルカメラの機種等）等と、メディアの種類とを対応付ける情報である。
【００１３】
また、読取装置の切替は、各読取装置の挿入口の前面に設けられ１の孔を有する覆板と、各読取装置を一体として支持する支持部材と、の少なくともいずれかを駆動させることにより、前記記録媒体の種類に対応する前記読取装置の挿入口を前記孔の位置に配置することにより、行うことができる。
また、読取装置の切替は、各読取装置毎に設けられる開閉カバーを開閉することにより、前記記録媒体の種類に対応する前記読取装置の挿入口を開放あるいは閉鎖することにより、行うこともできる。
【００１４】
第１の発明では、画像出力装置は、記録媒体の読取装置の切替を行い、選択された記録媒体の挿入口のみを利用可能とするので、利用者を目的の記録媒体の挿入口へ正確に誘導することができ、記録媒体の誤挿入、誤挿入による読取装置及び記録媒体の破損、データの消去等の事故、不測の事態の発生を防止すると共に、操作性の向上、円滑な利用を促進することができる。
【００１５】
第２の発明は、記録媒体の種類毎に設けられる読取装置により前記記録媒体から画像データを入力する入力手段と、前記画像データを印刷出力する出力手段と、前記記録媒体の大きさを検出する検出手段と、前記読取装置の挿入口近傍において、当該挿入口の大きさより小さい記録媒体を検出した場合、警告を行う警告手段と、を具備することを特徴とする画像出力装置である。
【００１６】
第２の発明の画像出力装置は、記録媒体の大きさを検出し、読取装置の挿入口近傍において、当該挿入口の大きさより小さい記録媒体を検出した場合、警告を行う。
読取装置の挿入口より大きい記録媒体を挿入することは物理的に不可能であるが、読取装置の挿入口より小さい記録媒体を挿入することがあり得、この場合、読取装置及び記録媒体の破損等の不測の事態が生じる。
第２の発明では、読取装置の挿入口近傍において、当該挿入口の大きさより小さい記録媒体を検出した場合、警告（警告音の発生等）を行うことにより、上記不測の事態が生じるのを防止することができ、利用者を目的の記録媒体の挿入口へ正確に誘導することができる。
【００１７】
第３の発明は、画像データを入力する入力手段と、前記画像データを印刷出力する出力手段と、撮像空間内の利用者の有無を検出する利用者検出手段と、前記利用者の有無に応じて外装の状態を制御する外装制御手段と、を具備することを特徴とする画像出力装置である。
【００１８】
第３の発明の画像出力装置は、赤外線センサ等により撮像空間内の利用者の有無を検出し、利用者の有無に応じて外装の状態を制御する。
画像出力装置は、撮像空間内に利用者が存在する場合、外装の少なくとも一部を不透明状態にし、空間内に前記利用者が存在しない場合、外装の少なくとも一部を透明状態にする。
【００１９】
外装は、撮像空間を取り囲む、出入口扉（押引式、スライド式、自動ドア等）、カーテン、窓、壁等である。外装には、例えば、透明状態（透視状態）と不透明状態（不透視状態）との間を遷移する調光ガラスを用いることができる。また、液晶パネル等を用いることができる。
【００２０】
第３の発明では、画像出力装置は、撮像空間内の利用者の有無を判別し、利用者の有無に応じて外装の透明状態、不透明状態を制御するので、利用者がいない場合の装置監視が容易となって防犯効果が向上し、撮影時のプライベート空間の確保ができる。また、外部から利用中であるか否かを的確に確認することができるので、不測の事態の発生を防止すると共に、稼働率の向上を図ることができる。また、撮影時には不透明状態となることにより、背景スクリーンや光を空間内に散乱させるための反射板としての役割を果たす。
【００２１】
第４の発明は、コンピュータを第１の発明及び第２の発明の画像出力装置として機能させるプログラムである。
第５の発明は、コンピュータを第１の発明及び第２の発明の画像出力装置として機能させるプログラムを記録した記録媒体である。
上述のプログラムをＣＤ−ＲＯＭ等の記録媒体に保持させて流通させてもよいし、このプログラムを通信回線を介して送受することもできる。
【００２２】
第６の発明は、画像出力装置として機能するコンピュータが実行する画像出力方法であって、記録媒体の種類毎に設けられる読取装置により前記記録媒体から画像データを入力する入力工程と、前記画像データを印刷出力する出力工程と、前記記録媒体の種類を選択する選択工程と、前記選択された記録媒体の種類に応じて前記読取装置を切り替える切替工程と、を具備することを特徴とする画像出力方法である。
第６の発明は、第１の発明の画像出力装置が実行する画像出力方法に関する発明である。
【００２３】
第７の発明は、画像出力装置として機能するコンピュータが実行する画像出力方法であって、記録媒体の種類毎に設けられる読取装置により前記記録媒体から画像データを入力する入力工程と、前記画像データを印刷出力する出力工程と、前記記録媒体の大きさを検出する検出工程と、前記読取装置の挿入口近傍において、当該挿入口の大きさより小さい記録媒体を検出した場合、警告を行う警告工程と、を具備することを特徴とする画像出力方法である。
第７の発明は、第２の発明の画像出力装置が実行する画像出力方法に関する発明である。
【００２４】
第８の発明は、撮像空間を備える画像出力装置として機能するコンピュータが実行する外装状態制御方法であって、前記撮像空間内の利用者の有無を検出する利用者検出工程と、前記利用者の有無に応じて外装の状態を制御する状態制御工程と、を具備することを特徴とする外装状態制御方法である。
第８の発明は、第３の発明の画像出力装置が実行する外装状態制御方法である。
【発明の効果】
【００２５】
本発明によれば、誤認、誤操作による不測の事態発生を防止し、操作性の向上、円滑な利用の促進等を行うことを可能とする画像出力装置等を提供することができる。
【発明を実施するための最良の形態】
【００２６】
以下、添付図面を参照しながら、本発明に係る画像出力装置等の好適な実施形態について詳細に説明する。なお、以下の説明及び添付図面において、略同一の機能構成を有する構成要素については、同一の符号を付することにより重複説明を省略することにする。
【００２７】
最初に、図１を参照しながら、本発明の実施の形態に係る画像出力装置１０１の構成について説明する。
図１は、画像出力装置１０１の構成を示すブロック図である。
【００２８】
画像出力装置１０１は、画像データ読込書込手段１１１、画像編集合成手段１１２、素材データベース１１３、プリント手段１１４、注文内容入力手段１１５、課金手段１１６、メディア検出手段１１７、メディアリーダ切替手段１１８、メディア判別データベース１１９、利用者検出手段１２０、外装制御手段１２１等を備える。
【００２９】
画像データ読込書込手段１１１は、被写体１３１（利用者）をデジタルカメラ等の撮像装置により撮像したり、原稿１３２をスキャナ装置等の原稿読取装置により読み取ったり、予め画像データが記録された記録媒体１３３（メディア）から読み取ることにより、画像データを取得する。また、画像データ読込書込手段１１１は、画像出力装置１０１が作成した画像データを記録媒体１３３に記録することもできる。
記録媒体１３３は、例えば、スマートメディア、コンパクトフラッシュ（登録商標）カード（ＣＦカード）、フロッピー（登録商標）ディスク、ＰＣカード、光ディスク（ＣＤ−ＲＯＭ等）等である。
【００３０】
画像編集合成手段１１２は、１つ以上の入力または選択した画像データに対して、落書き、スタンプのような加工、画像データの切抜き、変倍、切抜いた画像の他の画像への貼付け等、合成編集等を対話的に行う対話型インタフェース手段と画像処理プログラムで構成される。加工や合成編集に扱う画像データとしては、素材データベース１１３に存在する素材画像データ、フレーム画像データ等を用いることもできる。
【００３１】
プリント手段１１４は、高解像度カラープリンタである。昇華型あるいはインクジェット型などの方式は問わない。プリント物１３４は、プリント出力された撮像による証明写真、デジタルカメラ画像等による写真、シールプリント、葉書等である。
【００３２】
注文内容入力手段１１５により利用者は、出力すべき注文内容を必要に応じて選択する。選択する項目としては、プリントモードの選択（実画像データの通常の出力を行うのか、インデックスプリント出力を行うのか、はがきプリントを行うのか、シールプリントを行うのか、証明写真プリントを行うのか、等の指定）、さらに実画像データの通常の出力等の場合、サムネイル画像を表示し、複数コマ分の画像データを入力した場合のどの画像をプリントするかの指定（デジタルカメラ画像を出力する場合のサムネイル画像のモニタ表示と画像選択）、プリント枚数やプリントサイズの指定等がある。尚、利用者は、画像を出力する前に、１つ以上の画像データを指定して加工および合成編集することができる。
【００３３】
注文内容入力手段１１５としては、例えば、ＣＲＴや液晶パネル等の表示手段と一体化されたタッチパネルや、キーボード、マウスやトラックボールのような各種ポインタを用いることができる。
課金手段１１６は予め投入された金額に応じて、画像出力装置１０１の各機能を有効とする。
【００３４】
メディア検出手段１１７は、利用者が持参したメディアの検出を行う。メディア検出手段１１７としては、例えば、メディアの形状（外観画像）を走査・取得するＣＣＤ（Ｃｈａｒｇｅ  Ｃｏｕｐｌｅｄ  Ｄｅｖｉｃｅ）カメラ、メディアに付されるバーコードを読み取るバーコードリーダ等である。
尚、メディア検出手段１１７として、画像出力装置１０１が備える撮像装置（デジタルカメラ等）、スキャナ等を用いることもできる。
【００３５】
メディアリーダ切替手段１１８は、必要に応じて入力メディアの種類の判別を行い、当該入力メディアの種類に応じて、メディアリーダの切替を行う。メディアリーダは、各種カードリーダ、各種ドライブ装置等の記録媒体データ入力装置であり、入力（読込）機能のみならず、出力（書込）機能等を有するものであってもよい。
【００３６】
入力メディアの種類は、利用者自身が直接指定してもよいし、メディア検出手段１１７によりメディアの形状（外観画像）、バーコード情報を取得し、メディア判別データベース１１９のメディア判別データに基づいて、メディアの種類の判別を行うようにしてもよい。さらに、利用者自身が指定した画像データ記録装置（利用者所有のデジタルカメラの機種等）からメディアの種類を判別するようにしてもよい。
尚、メディア判別データは、メディアの形状（外観画像）、バーコード情報、画像データ記録装置（デジタルカメラの機種等）等と、メディアの種類とを対応付ける情報である。
【００３７】
利用者検出手段１２０は、画像出力装置１０１の利用者の有無等を検出する。利用者検出手段１２０としては、各種センサを用いることができるが、例えば、赤外線センサ等により、利用者の入場、退場等を検出することができる。
外装制御手段１２１は、外装の状態（外装の光透過性等）を制御する。外装は、画像出力装置１０１の出入口扉（押引式、スライド式、自動ドア等）、カーテン、壁面、天井等の全面あるいはそれらの一部分である。外装制御手段１２１は、利用者検出手段１２０により利用者の入場を検出すると外装の全てあるいはその一部を不透明状態にし、利用者の退場を検出すると透明状態にする。
【００３８】
外装には、例えば、透明状態（透視状態）と不透明状態（不透視状態）との間を遷移する調光ガラスを用いることができる。調光ガラスは、印加電圧に応じて（印加電圧の入切等）、透明状態（透視状態）と不透明状態（不透視状態）とを切替可能なガラスである。また、液晶パネル等を用いることができる。
【００３９】
次に、図２を参照しながら、画像出力装置１０１の外観構成について説明する。
図２は、画像出力装置１０１の外観斜視図である。
【００４０】
画像出力装置１０１は、ボックス状の枠で囲まれた撮像空間２１１を備え、その一側面に画像出力装置１０１の本体２０１が設置される。
撮像空間２１１内には、照明装置２１２（ストロボ等）、利用者検出センサ２１３（赤外線センサ等）、椅子２１５等が設けられる。
ボックス状の枠は、外装２１４、床２１６、柱２１７等により構成される。外装２１４は、出入口扉（押引式、スライド式、自動ドア等）、カーテン、窓、壁等である。
【００４１】
本体２０１の上段部正面には、タッチパネル付きモニタ等であるモニタ画面２０２が配置されている。モニタ画面２０２は、操作の案内や、操作の状況や、読み取った画像あるいは編集加工した画像等を表示する表示手段としての機能を発揮する。
【００４２】
モニタ画面２０２の画面の横には、メディア受付部２０３が設置される。上段部と下段部を分けている水平部には、プリント物の画像を読み取ってデジタルデータ化するスキャナ面２０４が設置される。また、モニタ画面２０２の画面の上には、デジタルカメラ等の撮像装置２０５により被写体（利用者）を撮像するためのレンズ窓２０６が設置される。
これらのメディア受付部２０３、スキャナ面２０４、撮像装置２０５（レンズ窓２０６）は、画像データ読込書込手段１１１の一部を構成する。
【００４３】
メディア受付部２０３は、各種メディア（スマートメディア、コンパクトフラッシュ（登録商標）カード（ＣＦカード）、フロッピー（登録商標）ディスク、ＰＣカード、光ディスク（ＣＤ−ＲＯＭ等）等）の受付部であり、フロッピ（登録商標）ディスク挿入口、ＣＤ−ＲＯＭ挿入口、ＰＣカード挿入口、スマートメディア挿入口、コンパクトフラッシュ（登録商標）挿入口等がひとまとめの位置に配置されている。また、本体２０１内には上記各記録メディアの種類に対応して、それぞれの読取装置（メディアリーダ）の本体（図２には図示しない。）が設置されている。
【００４４】
スキャナ面２０４の横には、メディアの形状（外観画像）あるいはメディアのバーコード情報を読み取るメディア検出センサ２０７が設置される。このメディアの形状（外観画像）あるいはメディアのバーコード情報により、メディアの種類の判別が行われる。
メディアリーダ切替装置２０８は、利用者のメディアの種類に応じて、メディアリーダを選択し、メディア受付部２０３において利用可能な挿入口を切り替える。尚、メディアリーダ切替装置２０８については、後述する。
【００４５】
また、各挿入口には、開閉カバー（シャッタ）を備えても良い。この場合、開閉扉の開閉を制御することにより、処理中に記録メディアを取り出せないようにしたり、課金処理、手数料の徴収が完了するまで記録メディアを取り出せないようにすることができる。
【００４６】
本体２０１の下段部には、プリント物取出口２０９、スピーカ２１０等が設置され、この他、料金投入口（硬貨投入口、紙幣挿入口）、返却レバー、返却口、レシート取出口、メインテナンスキー、ドア開閉キー等が配置される。
【００４７】
プリント物取出口２０９は、プリント手段１１４の一部を構成する。利用者は、タッチパネルボタンに触れるなどしてプリント実行を指示した後、プリント物取出口２０９から放出されるプリント物を受け取る。
スピーカ２１０は、操作中に警告音、確認音、操作案内メッセージを再生し、待機中や操作中に音声、ＢＧＭ、効果音などを再生する。
【００４８】
また、本体２０１内には、図示しないが、各構成部分を制御するための制御部を含むパソコンや、電圧の変換を行う電源ボックス、停電時に制御部のＣＰＵやハードディスク等の破損を防ぐ無停電電源装置等が設置される。
【００４９】
次に、図３を参照しながら、画像出力装置１０１のハードウェア構成について説明する。
図３は、画像出力装置１０１のハードウェア構成図である。
【００５０】
画像出力装置１０１は、制御部３０１、記憶部３０２、入出力部３０３、メディア検出部３０４、利用者検出部３０５、デジタルカメラ３０６、スキャナ３０７、各種メディア読取書込部３０８（１〜ｎ）、メディアリーダ切替部３０９、モニタ３１０（タッチパネル付き）、コインメック３１１、ビルバリ３１２、レシートジャーナル処理部３１３、プリンタ３１４等が、システムバス３１５を介して接続される。
【００５１】
制御部３０１は、ＣＰＵ、ＲＯＭ、ＲＡＭ等で構成され、大容量記憶媒体としてのハードディスク等である記憶部３０２に格納されたプログラムに従って、バス３１５を介して接続された各装置を駆動制御する。
【００５２】
記憶部３０２には、各構成部分を駆動制御するプログラム、例えば各記録メディアに対応する読取書込プログラム、メディア種類判別プログラム、メディアリーダ切替制御プログラム、課金プログラム等の他に、画像編集合成手段１１２の一部として入力または選択された画像を編集加工するための画像処理プログラム、間引きデータを作ってインデックスデータを作成する画像処理プログラム、注文内容入力手段１１５の一部として対話型メニューをモニタ３１０に表示し、プリント手段１１４に対してプリント条件を設定して、プリント開始を指示するプログラム、および、画像の合成に用いるフレーム、背景画像、ぬりえ用の線画イラスト画像等の画像データを記憶した素材データベース１１３、メディアの種類判別の際に参照されるメディア判別データベース１１９、各種設定データ等が格納されている。
【００５３】
これらの各プログラムコードは、制御部３０１により必要に応じて読み出されてＲＡＭに移され、ＣＰＵに読み出されて各種の手段として実行される。
【００５４】
入出力部３０３（ＣＤ−ＲＯＭドライブ装置、キーボード、マウス等）は、制御部３０１のＲＯＭや記憶部３０２に記憶されているプログラムや情報をバージョンアップ、あるいは、画像プリントシステムの動作設定、機器設定等の設定を行う際に用いられ、メンテナンスキーにより本体部を管理モードに切り替えて、入出力部３０３にバージョンアップ用のＣＤ−ＲＯＭを挿入し、データの書き換えを行ったり、設定データを入力して設定を行う。
【００５５】
メディア検出部３０４は、メディア検出手段１１７に相当し、ＣＣＤカメラ、バーコードリーダ等により、利用者のメディアの形状（外観画像）、バーコード情報等を取得する。
利用者検出部３０５は、利用者検出手段１２０に相当し、赤外線センサ等により利用者の撮影空間内への入場、退場等の検出を行う。
【００５６】
デジタルカメラ３０６、スキャナ３０７、各種メディア読取書込部３０８（１〜ｎ）は、画像データ読込書込手段１１１に相当する。
メディアリーダ切替部３０９は、メディアリーダ切替手段１１８に相当し、メディアの種類に応じてメディアリーダの切替を行う。メディアリーダの切替については後述する。
【００５７】
モニタ３１０に表示された操作案内に従って、同モニタ３１０に表示されたタッチパネルボタンを選択し触れることにより、プリントモードの選択およびオリジナル画像データの読み込みから、加工、合成編集、プリント物の出力までの一連の操作を行うことができる。
【００５８】
コインメック３１１、ビルバリ３１２、レシートジャーナル処理部３１３は、課金手段１１６に相当し、硬貨投入、紙幣挿入を受け付けたり、レシートの発行を行う。
プリンタ３１４は、プリント手段１１４に相当し、画像の印刷出力処理を行う。
システムバス３１５は、各部、各装置間の制御信号、データ信号等の授受を媒介する経路である。
【００５９】
次に、図４を参照しながら、画像出力装置１０１の動作について説明する。
図４は、画像出力装置１０１の動作を示すフローチャートである。
【００６０】
画像出力装置１０１は、赤外線センサ等により利用者の有無を判断し、利用者が入場している場合（ステップ４０１のＹｅｓ）、外装を不透明状態にする（ステップ４０２）。
画像出力装置１０１は、サービスの内容、手順、案内等を示すメニュー画面を表示し、利用者に選択させる（ステップ４０３）。
【００６１】
利用者は、画像データの入力に際し、記録メディアからの読み取り、スキャナからの読み取り、撮像装置（デジタルカメラ等）による被写体の撮像等の方法を選択することができる。画像出力装置１０１は、記録メディアからの読み取りが選択された場合、記録メディアの種類の判別を行い、メディアリーダの切替を行う（ステップ４０４）。
画像出力装置１０１は、メディアリーダを介して画像データを取得する（ステップ４０５）。
【００６２】
画像出力装置１０１は、利用者の指示に基づいて、画像の加工、編集、合成等を行う（ステップ４０６）。画像の加工、編集、合成は、例えば、入力画像データ同士、フレーム画像、既存画像等の合成、塗色、文字入力、移動、拡大・縮小、はがきデータ作成等である。
【００６３】
画像出力装置１０１は、利用者の注文内容（出力形態（写真プリント、シールプリント、インデックスプリント、はがきプリント等）、プリント枚数等）に応じて、課金処理、レシート発行処理を行う（ステップ４０７）。
【００６４】
画像出力装置１０１は、色修正、リサイズ、トリミング、レイアウト、文字・ロゴ合成等の画像処理を行い（ステップ４０８）、画像処理した画像データをハードディスク装置等に保持し（ステップ４０９）、出力可能状態となったプリンタ装置に当該画像データを転送し、印刷出力処理を行う（ステップ４１０）。
【００６５】
画像出力装置１０１の稼働を継続する場合（ステップ４１１のＮｏ）、画像出力装置１０１は、ステップ４０３〜ステップ４１１までの処理を繰り返す。
画像出力装置１０１の稼働を終了する場合、あるいは、利用者が退場等によりいない場合（ステップ４１１のＹｅｓ）、外装を透明状態にする（ステップ４１２）。
【００６６】
次に、図５〜図１０を参照しながら、メディアリーダ切替装置２０８の構成について説明する。
以下、メディアリーダ切替装置２０８の一態様として、メディアリーダ切替装置５０１（図５、図６）、メディアリーダ切替装置７０１（図７、図８）、メディアリーダ切替装置９０１（図９、図１０）を取り上げて説明する。
【００６７】
図５は、メディアリーダ切替装置５０１の外観斜視図である。
図６は、メディアリーダ切替装置５０１の正面図、断面図（Ａ−Ａ’）である。
メディアリーダ切替装置５０１は、画像出力装置１０１の制御部３０１により動作制御される。
【００６８】
メディアリーダ切替装置５０１の前面は、孔６０２を有する覆板６０１に覆われる。この覆板６０１は、メディア受付部２０３を構成し、利用者は、孔６０２を介して、メディアをメディアリーダ６０４の挿入口６０３に挿入する。孔６０２の形状、大きさは、メディアリーダ６０４の挿入口６０３を１のみ利用可能となるように定められる。
各種のメディアリーダ６０４は、その後部を支持板６０５に上下方向に一列に配置、接合される。
【００６９】
覆板６０１、支持板６０５の少なくともいずれかは、上下方向（矢印６０６方向あるいは矢印６０７方向）に可動である。尚、覆板６０１及び支持板６０５の駆動には、各種直線駆動装置を用いることができる。
【００７０】
尚、覆板６０１及び支持板６０５に関しては、必ずしも、メディアリーダを上下方向に配置し、上下方向に駆動する必要はなく、画像出力装置１０１の本体２０１の形状、収容容積等に応じて種々の配置方法が可能である。
また、メディアリーダを支持する支持板は、必ずしもメディアリーダの後部に設ける必要はなく、各メディアリーダを一体として移動可能であれば、支持板の構成、メディアリーダとの結合態様は、これに限られない。
【００７１】
メディアリーダ切替装置５０１は、メディアの種類に対応するメディアリーダ６０４を選択し、覆板６０１、支持板６０５の少なくともいずれかを上下方向に駆動させ、選択したメディアリーダ６０４の挿入口６０３を覆板６０１の孔６０２位置に移動させる。
【００７２】
図７は、メディアリーダ切替装置７０１の外観斜視図である。
図８は、メディアリーダ切替装置７０１の正面図、断面図（Ｂ−Ｂ’）である。
メディアリーダ切替装置７０１は、画像出力装置１０１の制御部３０１により動作制御される。
【００７３】
メディアリーダ切替装置７０１の前面は、孔８０２を有する覆板８０１に覆われる。この覆板８０１は、メディア受付部２０３を構成し、利用者は、孔８０２を介して、メディアをメディアリーダ８０４の挿入口８０３に挿入する。孔８０２の形状、大きさは、メディアリーダ８０４の挿入口８０３を１のみ利用可能となるように定められる。
【００７４】
各種のメディアリーダ８０４は、その後部を支持ローラ８０５の外周上に配置、接合される。
支持ローラ８０５は、矢印８０６方向に回転可能である。尚、支持ローラ８０５の駆動には、各種回転装置を用いることができる。
【００７５】
メディアリーダ切替装置７０１は、メディアの種類に対応するメディアリーダ８０４を選択し、支持ローラ８０５を回転させ、選択したメディアリーダ８０４の挿入口８０３を覆板８０１の孔８０２位置に移動させる。
【００７６】
尚、メディアリーダを支持する支持ローラは、必ずしもメディアリーダの後部に設ける必要はなく、各メディアリーダを一体として回転移動可能であれば、支持ローラの構成、メディアリーダとの結合態様は、これに限られない。
【００７７】
図９及び図１０は、メディアリーダ切替装置９０１の外観斜視図である。
メディアリーダ切替装置９０１は、画像出力装置１０１の制御部３０１により動作制御される。
【００７８】
メディアリーダ切替装置９０１は、各メディアリーダ９０２毎に、開閉カバー９０３（シャッタ）が設けられる。各開閉カバー９０３は、それぞれ、各メディアリーダの挿入口を閉鎖・開放する。
カバーロック９０４は、各開閉カバー９０３毎に設けられ、左右方向にスライド可能である。カバーロック９０４は、メディアリーダ９０２の挿入口９０５を閉鎖する場合、右方向にスライドして開閉カバー９０３を固定し、開放する場合、左方向にスライドして開閉カバー９０３の固定を解除する。
【００７９】
図９に示すように、メディアの出し入れ時（挿入時、取出時等）以外は、メディアリーダ９０２の開閉カバー９０３は、全て閉鎖され、メディアの種類に関わらず、メディアの出し入れができない。
図１０に示すように、メディアの出し入れ時（挿入時、取出時等）、選択されたメディアに対応するメディアリーダ９０２の挿入口９０５が開放され、メディアの出し入れを行うことができるが、その他のメディアリーダの挿入口は、カバーロックにより閉鎖され、メディアの出し入れができない。
【００８０】
尚、開閉カバー９０３は、固定解除時、手動で開閉するようにしてもよいし、自動的に開閉するようにしてもよい。
また、開閉カバー９０３をメディアリーダ９０２の挿入口９０５の閉鎖・開放に応じて自動的に開閉させる場合、必ずしもカバーロック９０４を設ける必要はない。
【００８１】
次に、図１１及び図１２を参照しながら、メディアリーダ切替処理（図４：ステップ４０４）における、画像出力装置１０１の動作について説明する。
図１１は、メディアリーダ切替処理における、画像出力装置１０１の動作を示すフローチャートである。
図１２は、メディアリーダ切替処理における、画像出力装置１０１のモニタ画面２０２、メディア受付部２０３等の一態様を示す図である。
【００８２】
画像出力装置１０１（制御部３０１）は、モニタ画面２０２に入力メディア選択画面を表示する（ステップ１１０１）。画像出力装置１０１（制御部３０１）は、利用者のメディアの種類を判別、選択、決定し（ステップ１１０２、ステップ１１０３、ステップ１１０４）、選択したメディアの種類に対応するメディアリーダに切り替える（ステップ１１０５）。
【００８３】
メディアの種類の選択、決定は、利用者自身がモニタ画面２０２上で選択することができる（ステップ１１０２）。例えば、利用者は、タッチパネルのモニタ画面２０２上でボタン１２０１「ＣＤ−ＲＯＭ」をタッチすることにより、入力メディアとして「ＣＤ−ＲＯＭ」が選択、決定される。さらに、選択、決定されたメディアをモニタ画面に表示したり音声で示すようにしてもよい。
【００８４】
また、メディアの種類の選択、決定は、利用者のメディアの形状（外観画像）あるいはメディアに付されるバーコード情報に基づいて行うことができる（ステップ１１０３）。この場合、利用者は、メディアをスキャナ面２０４、レンズ窓２０６、メディア検出センサ２０７近傍に配し、タッチパネルのモニタ画面２０２上でボタン１２０２「自動判別」をタッチすると、画像出力装置１０１（制御部３０１）は、当該メディアの形状（外観画像）あるいはバーコード情報を取得し、記憶部３０２に保持するメディア判別データ（メディアの形状あるいはバーコード情報とメディアの種類との対応データ等）に基づいて、メディアの種類を判別する。さらに、判別されたメディアをモニタ画面に表示したり音声で示すようにしてもよい。
【００８５】
さらに、メディアの種類の選択、決定は、メディアを作成した装置（利用者所有のデジタルカメラ等）の機種等を指定することにより行うことができる（ステップ１１０４）。例えば、利用者は、タッチパネルのモニタ画面２０２上でボタン１２０３「デジタルカメラ機種」をタッチすると、画像出力装置１０１（制御部３０１）は、デジタルカメラ機種一覧（図示しない）を表示し、利用者がデジタルカメラ機種を指定すると、画像出力装置１０１（制御部３０１）は、記憶部３０２に保持するメディア判別データ（デジタルカメラ機種とメディアの種類との対応データ等）に基づいて、メディアの種類を判別する。さらに、判別されたメディアをモニタ画面に表示したり音声で示すようにしてもよい。
【００８６】
尚、画像出力装置１０１は、必ずしもメディア検出センサ２０７を独立して構成する必要はなく、レンズ窓２０６（撮像装置２０５（デジタルカメラ等））あるいはスキャナ面２０４（スキャナ）により、メディア検出（メディアの形状（外観画像）、バーコード情報等の取得）を行うようにしてもよい。
【００８７】
メディアリーダの切替機構に関しては、図５〜図１０について先述したが、例えば、メディアリーダ切替装置５０１（図５、図６）、メディアリーダ切替装置７０１（図７、図８）を用いる場合、画像出力装置１０１（制御部３０１）は、選択したメディアの種類に対応するメディアリーダの挿入口１２０４をメディア受付部２０３の孔１２０５位置に移動させる。
【００８８】
このように、画像出力装置１０１は、メディアリーダ切替装置２０８（５０１、７０１、９０１等）により、選択されたメディアリーダの挿入口のみを利用可能とするので、利用者を目的のメディアの挿入口へ正確に誘導することができ、メディアの誤挿入、誤挿入によるメディアリーダ及びメディアの破損、データの消去等の事故、不測の事態の発生を防止すると共に、操作性の向上、円滑な利用を促進することができる。
また、メディアの種類に対応するメディアリーダの挿入口のみ使用可能となるので、防塵、防埃、いたずら防止ができ、画像出力装置の耐障害性及び保守性を向上できる。
【００８９】
また、上記のメディアリーダ切替装置２０８は、上下あるいは左右に回転（移動）させるだけの装置を設ければよく、構造が単純なため、非常に安価に使い勝手を向上させることができる。
また、上下方向あるいは左右方向に移動させるだけの装置であれば挿入口が増えても移動範囲を単純に変更するだけで対応可能であり、装置全体の改造等は必要ない。従って、コストを削減することができ、将来への変化に柔軟に対応することができる。
また、図７及び図８に示すメディアリーダ切替装置７０１は、回転支持ローラを備えるので、メディアリーダの追加に柔軟に対応できる。この場合、新たに、回転支持ローラ上にメディアリーダを接続するだけでよい。
【００９０】
尚、上記のメディアリーダ切替装置を設けない場合であっても、各メディアリーダの挿入口にセンサ（図示しない）を設け、当該挿入口に差し込もうとするメディアの大きさを検出し、利用者が誤って大きい挿入口に小さいメディアを差し込もうとした場合、スピーカ２１０から警告音を発生させるようにしてもよい。
この場合、利用者は、メディアの誤挿入、誤挿入によるメディアリーダ及びメディアの破損、データの消去等の事故、不測の事態の発生を防止することができる。
【００９１】
また、上記の技術は、画像出力装置以外にも適用可能であり、例えば、複数種類のメディアのデータの読込が可能である装置、機器等であれば、画像データの出力機能を具備せずとも、上記の技術を適用可能である。
【００９２】
次に、図１３及び図１４を参照しながら、外装の状態制御（図４：ステップ４０１、ステップ４０２、ステップ４１２等）について説明する。
図１３は、利用者がいない場合の画像出力装置１０１の外装の状態を示す図である。
図１４は、利用者がいる場合の画像出力装置１０１の外装の状態を示す図である。
外装の状態制御は、画像出力装置１０１の制御部３０１により制御される。
【００９３】
画像出力装置１０１は、利用者検出センサ２１３（赤外線センサ等）により撮像空間２１１に利用者がいるかいないかを判断し（ステップ４０１）、ボックス内に利用者がいる場合、外装を不透明状態にし（ステップ４０２）、ボックス内に利用者がいない場合、外装を透明状態にする（ステップ４１２）。
【００９４】
図１３に示すように、画像出力装置１０１のボックス内に利用者がいない場合、外装２１４は透明状態となり、撮像空間２１１の様子が外部から一目瞭然となる。この場合、遠方からでも、当該画像出力装置１０１が現在利用可能であることを確認することができる。
【００９５】
図１４に示すように、画像出力装置１０１のボックス内に利用者がいる場合、外装２１４は不透明状態となり、撮像空間２１１の様子が外部から一切見えなくなる。この場合、遠方からでも、当該画像出力装置１０１が現在利用中であることを確認することができる。一方、画像出力装置１０１のボックス内の利用者は、撮影時にプライベート空間を確保することができる。
【００９６】
このように、画像出力装置１０１は、ボックス内の利用者の有無を判別し、利用者の有無に応じて外装の透明状態、不透明状態を制御するので、利用者がいない場合の装置監視が容易となって防犯効果が向上し、撮影時のプライベート空間の確保ができる。また、外部から利用中であるか否かを的確に確認することができるので、不測の事態の発生を防止すると共に、稼働率の向上を図ることができる。
【００９７】
例えば、カーテンが閉まっており利用中であるかと思っていたら、中に利用者がいなかったといった不測の事態が生ずるのを防止することができるので、画像出力装置の稼働率を向上させることができる。
また、利用者は、出入口扉（押引式、スライド式、自動ドア等）に上記調光ガラス等の外装を用いる場合、利用者は、カーテンの開閉をすることなく、撮影時のプライベート空間を確保することができ、さらに、カーテンの開閉等の煩雑な作業を行う必要がなく、カーテンの開閉作業に伴う上記弊害も生じない。
【００９８】
尚、外装を透明状態にする場合、無色透明としてもよいし、有色透明としてもよく、さらに、模様、画像、動画、文字、広告等を表示するようにしてもよい。有色透明画像等の表示は、液晶パネル等を用いて実現することができる。
この場合、画像出力装置の意匠性をも向上させることができ、宣伝効果と相まって利用促進を図ることができる。
【００９９】
以上、説明したように、画像出力装置は、メディアリーダ切替装置等により選択されたメディアリーダの挿入口のみを利用可能とし、また、ボックス内の利用者の有無に応じて外装の透明状態、不透明状態を制御するので、誤認（メディア種別の誤認、ボックス内の利用者の有無の誤認等）による不測の事態発生の防止、円滑な利用の促進等を図ることができる。
【０１００】
図１５は、メディアリーダ切替装置１５０１（２０８）の外観斜視図である。
図１６は、メディアリーダ切替装置１６０１（２０８）の外観斜視図である。
図５〜図８に示すメディアリーダ切替装置では、メディア挿入口は、水平に設けられるが、図１５及び図１６に示すように、メディア挿入口は、垂直に設けるようにしてもよい。この場合、メディアリーダ切替装置は、左右方向（水平方向）の回転構造、移動構造として、メディアリーダの切替を行う。
【０１０１】
図１５に示すメディアリーダ切替装置１５０１は、左右方向（水平方向）に、支持板１５０２あるいは覆板１５０３を移動させて、メディアリーダの切替を行う。
図１６に示すメディアリーダ切替装置１６０１は、左右方向（水平方向）に、支持ローラ１６０２を回転させて、メディアリーダの切替を行う。
【０１０２】
尚、画像出力装置は、各手段（図１等）及び各装置（図３等）を一体として構成してもよいし、その一部を分離して、接続線（ケーブル等、有線無線を問わない。）、ネットワーク（専用線、ＬＡＮ、インターネット等、有線無線を問わない。）等により接続するようにしてもよい。
また、画像出力装置は、画面表示によるガイダンスの他、音声、動画等によるガイダンスを行うようにしてもよい。
【０１０３】
また、図４、図１１等に示す処理を行うプログラムをＣＤ−ＲＯＭ等の記録媒体に保持させて流通させてもよいし、このプログラムを通信回線を介して送受することもできる。
【０１０４】
以上、添付図面を参照しながら、本発明にかかる画像出力装置等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【０１０５】
【図１】画像出力装置１０１の構成を示すブロック図
【図２】画像出力装置１０１の外観斜視図
【図３】画像出力装置１０１のハードウェア構成図
【図４】画像出力装置１０１の動作を示すフローチャート
【図５】メディアリーダ切替装置５０１の外観斜視図
【図６】メディアリーダ切替装置５０１の正面図、断面図（Ａ−Ａ’）
【図７】メディアリーダ切替装置７０１の外観斜視図
【図８】メディアリーダ切替装置７０１の正面図、断面図（Ｂ−Ｂ’）
【図９】メディアリーダ切替装置９０１の外観斜視図
【図１０】メディアリーダ切替装置９０１の外観斜視図
【図１１】メディアリーダ切替処理における、画像出力装置１０１の動作を示すフローチャート
【図１２】メディアリーダ切替処理における、画像出力装置１０１のモニタ画面２０２、メディア受付部２０３等の一態様を示す図
【図１３】利用者がいない場合の画像出力装置１０１の外装の状態を示す図
【図１４】利用者がいる場合の画像出力装置１０１の外装の状態を示す図
【図１５】メディアリーダ切替装置１５０１の外観斜視図
【図１６】メディアリーダ切替装置１６０１の外観斜視図
【符号の説明】
【０１０６】
１０１………画像出力装置
１１１………画像データ読込書込手段
１１２………画像編集合成手段
１１３………素材データベース
１１４………プリント手段
１１５………注文内容入力手段
１１６………課金手段
１１７………メディア検出手段
１１８………メディアリーダ切替手段
１１９………メディア判別データベース
１２０………利用者検出手段
１２１………外装制御手段
１３３………記録媒体（メディア）
２０１………本体
２０２………モニタ画面
２０３………メディア受付部
２０４………スキャナ面
２０５………撮像装置
２０６………レンズ窓
２０７………メディア検出センサ
２０８、５０１、７０１、９０１、１５０１、１６０１………メディアリーダ切替装置
２１０………スピーカ
２１１………撮像空間
２１３………利用者検出センサ
２１４………外装
３０１………制御部
３０２………記憶部
６０１、８０１………覆板
６０２、８０２………孔
６０３、８０３、９０５………挿入口
６０４、８０４、９０２………メディアリーダ
６０５………支持板
８０５………支持ローラ
９０３………開閉カバー
９０４………カバーロック
【図１】
2005096355.tif 000003
【図２】
2005096355.tif 000004
【図３】
2005096355.tif 000005
【図４】
2005096355.tif 000006
【図５】
2005096355.tif 000007
【図６】
2005096355.tif 000008
【図７】
2005096355.tif 000009
【図８】
2005096355.tif 000010
【図９】
2005096355.tif 000011
【図１０】
2005096355.tif 000012
【図１１】
2005096355.tif 000013
【図１２】
2005096355.tif 000014
【図１３】
2005096355.tif 000015
【図１４】
2005096355.tif 000016
【図１５】
2005096355.tif 000017
【図１６】
2005096355.tif 000018